(57)【要約】  【課題】  従来よりメモリ量を大幅に削減しつつ、マルチレイヤーディスク各層のオーディオ品質の相違を聴感上体感できるマルチレイヤーディスク再生装置を提供する。  【解決手段】  マルチレイヤーディスク１の各層に記録された曲を順次再生するように操作部１３で設定し、各層の音質比較を行う際、曲の再生を行う前に、あらかじめTOC情報用メモリ１１に、マルチレイヤーディスク１の各層に記録されたTOC情報を記憶させる。その後、操作部１３で設定した再生手順で行う各曲の再生前に行う各曲のサーチ時に、TOC情報用メモリ１１に記憶させたTOC情報を用いる。【選択図】      図１
2005339676.tif 000002
【特許請求の範囲】
【請求項１】
第一のサンプリング周波数で量子化されたオーディオ信号および第一のTOC情報が記録された第一の層と、前記第一のサンプリング周波数に比して高い第二のサンプリング周波数で量子化されたオーディオ信号および第二のTOC情報が記録された第二の層とを有したマルチレイヤーディスクを再生するマルチレイヤーディスク再生装置であって、
前記第一のTOC情報および前記第二のTOC情報を記憶するTOC情報用メモリと、前記第一の層に記録された曲と、前記第二の層に記録された曲とが交互に再生される再生手順を設定入力する設定入力手段と、前記マルチレイヤーディスクの再生を行う制御部とを有し、
前記制御部は、前記マルチレイヤーディスクに記録された前記第一のTOC情報および前記第二のTOC情報を、前記TOC情報用メモリに記憶させ、その後、前記TOC情報用メモリに記憶された前記第一のTOC情報および前記第二のTOC情報に基づき、前記設定入力手段で設定された再生手順で、前記マルチレイヤーディスクに記録された曲の再生を行うことを特徴とするマルチレイヤーディスク再生装置。
【請求項２】
前記設定入力手段で設定された再生手順における各曲の次曲の曲頭から所定時間の間のオーディオ信号を記憶するオーディオ信号用メモリを有し、
前記制御部は、前記オーディオ信号用メモリに記憶された前記各曲の次曲の曲頭から所定時間の間のオーディオ信号を用いて、前記各曲の次曲の再生を行うことを特徴とする請求項１に記載のマルチレイヤーディスク再生装置。
【発明の詳細な説明】
【技術分野】
【０００１】
本発明は、品質の異なるオーディオ信号が記録されたマルチレイヤーディスクを再生する再生装置、およびその再生方法に関する。
【背景技術】
【０００２】
マルチレイヤーディスクは、記録層として２つの層（レイヤー）を備えている。マルチレイヤーディスクの一方の層には、例えば、４４.１KHzでサンプリングされた１６ビットデジタルオーディオ信号が記録され、他方の層には、例えば、上記４４.１KHzの１６倍という非常に高いサンプリング周波数である２.８４２MHzでサンプリングされた１ビットデジタルオーディオ信号が記録される。また、上記の層には、それぞれの層に記録される曲に対応したTOC情報も記録される。
【０００３】
このようなマルチレイヤーディスクを再生するマルチレイヤーディスク再生装置において、例えば、販売店等の店頭で音質評価を行うために第１層と第２層から同一の楽曲等を再生する場合には、第１層のTOC情報を読み取り後、音質評価のために指定された楽曲を再生し、次に第１層と第２層を切り替え、第２層のTOC情報を読み取った後、音質評価のために指定された楽曲を再生するといった手順を従来ふまなければならなかった。
【０００４】
このような方法は、煩雑な操作をユーザに強いるとともに、第１層と第２層の再生動作を連続的に行えないので、時間的に連続した再生音の音質比較を行なうことが困難であった。
【０００５】
そこで、以下のようなマルチレイヤーディスク再生装置が提唱されている（特許文献１参照）。本マルチレイヤーディスク再生装置は、第１層または第２層のうち一方の層から再生されたオーディオ信号を所定量蓄積する第１のメモリ手段と、他方の層から再生されたオーディオ信号を所定量蓄積する第２のメモリ手段と、第１のメモリ手段に記憶されたオーディオ信号と第２のメモリ手段に記憶されたオーディオ信号を連続して再生するように第１のメモリ手段、および第２のメモリ手段を制御することのできるメモリ制御手段とを備えている。このような構成によれば、第１層のデータと第２層のデータが、それぞれ第１、第２のメモリ手段から連続的に再生出力されるため、各層に記録されたデータの時間的に連続した再生音の音質比較を行なうことができる。
【０００６】
また、第１層および第２層に記録されるプログラムは同一音源であるとするとともに、第１のメモリ手段に記憶されている一方の層から再生されたオーディオ信号に対応するオーディオ信号を他方の層から再生し、第２のメモリ手段に記憶するようにすると、第１層と第２層に記録された同一の音声内容が順次再生出力されるため、より音質比較に好適となる。
【特許文献１】特開平１１−２９６９９１号公報
【発明の開示】
【発明が解決しようとする課題】
【０００７】
しかし、上記のマルチレイヤーディスク再生装置では、再生に必要なオーディオ信号をすべてメモリ手段に記憶する必要があるので、そのメモリ量が膨大になるという問題がある。
【０００８】
このような問題を鑑みて、本発明は、従来よりメモリ量を大幅に削減しつつ、マルチレイヤーディスク各層のオーディオ品質の相違を聴感上体感できるマルチレイヤーディスク再生装置を提供することを目的とする。
【課題を解決するための手段】
【０００９】
上記目的を達成するために、本発明のマルチレイヤーディスク再生装置は、第一のサンプリング周波数で量子化されたオーディオ信号および第一のTOC情報が記録された第一の層と、前記第一のサンプリング周波数に比して高い第二のサンプリング周波数で量子化されたオーディオ信号および第二のTOC情報が記録された第二の層とを有したマルチレイヤーディスクを再生するマルチレイヤーディスク再生装置であって、
前記第一のTOC情報および前記第二のTOC情報を記憶するTOC情報用メモリと、前記第一の層に記録された曲と、前記第二の層に記録された曲とが交互に再生される再生手順を設定入力する設定入力手段と、前記マルチレイヤーディスクの再生を行う制御部とを有し、
前記制御部は、前記マルチレイヤーディスクに記録された前記第一のTOC情報および前記第二のTOC情報を、前記TOC情報用メモリに記憶させ、その後、前記TOC情報用メモリに記憶された前記第一のTOC情報および前記第二のTOC情報に基づき、前記設定入力手段で設定された再生手順で、前記マルチレイヤーディスクに記録された曲の再生を行うことを特徴とする（以下、本構成を第１の構成と呼ぶ）。
【００１０】
このような構成によれば、あらかじめTOC情報をメモリに取り込んでいることにより、再生の切り替え時に、マルチレイヤーディスクからTOC情報を読み取る必要がなく、あたかも同一層内の楽曲であるかのようにスムーズにサーチおよび再生が行われる。また、必要なメモリ量は、TOC情報を格納できる容量のみでよいから、従来よりメモリ量を大幅に削減しつつ、各層のオーディオ品質の相違を聴感上体感できる。
【００１１】
また、本発明のマルチレイヤーディスク再生装置は、第１の構成のマルチレイヤーディスク再生装置において、前記設定入力手段で設定された再生手順における各曲の次曲の曲頭から所定時間の間のオーディオ信号を記憶するオーディオ信号用メモリを有し、
前記制御部は、前記オーディオ信号用メモリに記憶された前記各曲の次曲の曲頭から所定時間の間のオーディオ信号を用いて、前記各曲の次曲の再生を行うことを特徴とする（以下、本構成を第２の構成と呼ぶ）。
【００１２】
このような構成によれば、再生切り替え時のサーチ中の無音時間がなくなるため、完全に時間的に連続した再生が行われる。また、必要なメモリ量は、TOC情報および再生曲の曲頭から所定時間分（後述するように、数秒程度である）のオーディオ信号を格納できる容量のみでよいから、従来よりメモリ量を大幅に削減しつつ、各層のオーディオ品質の相違をよりはっきりと聴感上体感できる。
【００１３】
また、第１の構成および第２の構成によれば、マルチレイヤーディスクの各層に記録された曲が、同一の音源から記録されたものである場合は、より明確な音質比較ができる。
【発明の効果】
【００１４】
本発明により、マルチレイヤーディスク再生装置のメモリ量を従来より大幅に削減しつつ、マルチレイヤーディスク各層のオーディオ品質の相違を聴感上体感することができる。
【発明を実施するための最良の形態】
【００１５】
（第１の実施形態）
図１は、本発明の第１の実施形態におけるマルチレイヤーディスク再生装置の概略構成を示す図である。第１の実施形態におけるマルチレイヤーディスク再生装置は図１に示すように、ピックアップ２と、フォーカスエラー信号、トラッキングエラー信号、および再生情報としてのＲＦ信号を生成するＲＦアンプ回路３と、ＲＦアンプ回路３で生成されたフォーカスエラー信号、およびトラッキングエラー信号を受けて位相補償、およびゲイン調整を行うサーボ回路４と、ＲＦアンプ回路３で生成されたトラッキングエラー信号に基づきピックアップ２をサーチ制御するサーチ回路５と、サーボ回路４、およびサーチ回路５で制御されるピックアップ２を駆動する駆動回路６と、デコーダ７と、D/Aコンバータ８と、マルチレイヤーディスク１の各層に記録されたTOC情報を記憶するTOC情報用メモリ１１と、TOC情報用メモリ１１に対して書き込みと読み出しを行うTOC情報用メモリコントローラ１０と、演奏経過時間や再生している楽曲のタイトル等の文字情報を表示する表示部１２と、プログラムKeyやPlayKey等の操作者のキー入力を行う操作部１３と、サーボ回路４とサーチ回路５に各種サーボ用、サーチ用のコマンドを送ったり、TOC情報用メモリコントローラ１０に対してメモリの制御指令を与えたり、表示部１２の制御を行ったり、デコーダ７の制御を行うシステムコントローラ９、とから構成される。
【００１６】
また、マルチレイヤーディスク１は２層で構成されている。一方の層には、例えば、４４.１KHzでサンプリングされた１６ビットデジタルオーディオ信号が記録され、他方の層には、例えば、上記４４.１KHzの１６倍という非常に高いサンプリング周波数である２.８４２MHzでサンプリングされた１ビットデジタルオーディオ信号が記録されている。また、上記の層には、それぞれの層に記録される曲に対応したTOC情報も記録されている。
【００１７】
図２は、本発明の第１の実施形態におけるマルチレイヤーディスク再生装置において、マルチレイヤーディスクの各層の曲は同一音源から記録されたものとし、各層の同一曲（Ｎ曲目とする）を順次再生して音質比較する場合の動作のフローを示す。以下、図２のフローに従って、図１のように構成される第１の実施形態におけるマルチレイヤーディスク再生装置の動作を説明する。
【００１８】
ステップＳ１０において、マルチレイヤーディスク１が交換されたか否かを判定する。もし交換されれば（ステップＳ１０のＹ）、ステップＳ２０へ進み、交換されていなければ（ステップＳ１０のＮ）、後述するステップＳ７０へ進む。
【００１９】
ステップＳ２０において、ＲＦアンプ回路３からのトラッキングエラー信号、およびフォーカスエラー信号に基づき、サーボ回路４が駆動回路６に制御信号を送り、ピックアップ２をトラッキング制御およびフォーカス制御しながら、マルチレイヤーディスク１の一方の層（以下、第１層と呼ぶ）に記録されたTOC情報を、ピックアップ２、ＲＦアンプ回路３、デコーダ７を介して、システムコントローラ９が読み込む。
【００２０】
次にステップＳ３０において、ステップＳ２０で読み出された第１層のTOC情報を、TOC情報用メモリコントローラ１０によりTOC情報用メモリ１１に格納する。
【００２１】
次にステップＳ４０において、再生するレイヤー（層）を他方のレイヤーに切り替える処理を行う。再生レイヤーの切り替えとしては、具体的には、各種サーボ系の切り替え、ピックアップ２の光路切り替えや、デコーダ７の信号処理系の切り替えである。
【００２２】
次にステップＳ５０において、上記ステップ２０と同様に、マルチレイヤーディスク１の他方である層（以下、第２層と呼ぶ）に記録されたTOC情報を読み込む。
【００２３】
次にステップＳ６０において、ステップＳ５０で読み出された第２層のTOC情報を、TOC情報用メモリコントローラ１０によりTOC情報用メモリ１１に格納する。
【００２４】
次にステップＳ７０において、ユーザーは、プログラムKeyを押して、マルチレイヤーディスク１の各層の音質比較を行う曲を指定する。操作部１３は、プログラムKey操作に応じて、システムコントローラ９に出力する。そして、システムコントローラ９は、操作部１３からの出力に基づき、音質比較を行う曲を設定する。プログラムKeyにより入力されるまではシステムコントローラ９は入力待機状態である（ステップＳ９０）。
【００２５】
このプログラムKeyは、マルチレイヤーディスクにおけるレイヤーと曲番を指定し、操作者が好ましい曲順に設定できるものである。ここでは、音質比較のため、第１層、第２層のＮ曲目を連続して再生するよう設定することとする。また、曲番のみを指定すればレイヤーを指定しなくても各層の曲番が連続して再生されるようなKeyを新設してもよい。
【００２６】
ステップＳ７０でプログラムKeyによる設定がされると（ステップＳ７０のＹ）、操作部１３からPlayKeyの押下げられたことを示す信号が来るまで、システムコントローラ９は入力待機状態である（ステップＳ９０）。
【００２７】
操作部１３からPlayKeyが押下げられたことを示す信号が来ると（ステップＳ８０のＹ）、ステップＳ１００において、TOC情報用メモリ１１に格納された第１層のTOC情報をTOC情報用メモリコントローラ１０で取り出し、第１層のＮ曲目のサーチを行なう。サーチでは、サーチ回路５が駆動回路６に制御信号を送り、ピックアップ２を不図示のスレッド機構によりマルチレイヤーディスク１の半径方向に移動させる動作や、ピックアップ２内の不図示の対物レンズを移動させる動作を行う。
【００２８】
ステップＳ１００で第１層のＮ曲目のサーチが完了すると、ステップＳ１１０において、第１層のＮ曲目の再生を行う。再生では、ピックアップ２の受光信号が、ＲＦアンプ回路３、デコーダ７、D/Aコンバータ８を介して、オーディオアナログ信号１４に変換され、外部に出力される。
【００２９】
ステップＳ１１０で第１層のＮ曲目の再生が完了すると、ステップＳ１２０において、TOC情報用メモリ１１に格納された第２層のTOC情報をTOC情報用メモリコントローラ１０で取り出し、第２層のＮ曲目のサーチを行なう。あらかじめ格納してある第２層のTOC情報をTOC情報用メモリ１１から取り出してサーチするので、あたかも同一層内の楽曲であるかのようにスムーズにサーチが行なわれる。
【００３０】
ステップＳ１２０で第２層のＮ曲目のサーチが完了すると、ステップＳ１３０において、第２層のＮ曲目の再生を行う。
【００３１】
ステップＳ１３０で第２層のＮ曲目の再生が完了すると、終了となる。
【００３２】
上述した図２のフローの動作を元に以下のような動作も可能である。
【００３３】
ステップＳ１３０で第２層のＮ曲目の再生が完了した後、ステップＳ１００に戻り、第１層のＮ曲目のサーチを行い、以降ステップＳ１３０までの動作を、例えば操作部１３の停止ボタンが押されるまで繰り返すようにすれば、順次各層のＮ曲目の再生音を繰り返しながら聴くことができる。
【００３４】
また、ステップＳ７０において、プログラムKeyで設定するときに、各層の音質比較をする曲を複数指定した場合は次のようにすればよい。例えば、プログラムKeyで、第１層のＮ曲目、第２層のＮ曲目、第１層のＭ曲目、第２層のＭ曲目の順番で再生するように設定したとする。この場合、ステップＳ１３０で第２層のＮ曲目の再生が完了した後、ステップＳ１００に戻り、第１層のＭ曲目のサーチを行い、ステップＳ１１０において、第１層のＭ曲目を再生し、ステップＳ１２０において、第２層のＭ曲目をサーチし、ステップＳ１３０において、第２層のＭ曲目の再生を行う。
【００３５】
さらに曲数が増えても、同様な動作を、プログラムKeyで設定された最後の曲の再生が終わるまで繰り返せばよい。このようにすれば、例えばジャンルの異なる曲毎に各層の音質比較を行うことができる。
【００３６】
また、上記でＭ曲目が第２層、第１層の順番で再生するように設定された場合は、ステップＳ１３０で第２層のＮ曲目の再生が完了した後、ステップＳ１００に戻り、上記Ｍ曲目についてのステップＳ１００〜ステップＳ１３０の動作を、第１層と第２層を入れ替えて行えばよい。
【００３７】
（第２の実施形態）
図３は、本発明の第２の実施形態におけるマルチレイヤーディスク再生装置の概略構成を示す図である。前述した第１の実施形態における図１との相違点は、オーディオ信号用メモリコントローラ１５とオーディオ信号用メモリ１６が加わったことである。
【００３８】
図４は、本発明の第２の実施形態におけるマルチレイヤーディスク再生装置において、マルチレイヤーディスクの各層の曲は同一音源から記録されたものとし、各層の同一曲（Ｎ曲目とする）を順次再生して音質比較する場合の動作のフローを示す。以下、図４のフローに従って、図３のように構成される第２の実施形態におけるマルチレイヤーディスク再生装置の動作の説明する。ただし、図４のステップＳ６０までは、前述した第１の実施形態における図２と同一であるので説明を省く。
【００３９】
図４のステップＳ７０から説明する。ステップＳ７０において、操作部１３のプログラムKeyを用いて、マルチレイヤーディスク１の各層の音質比較を行う曲を設定する。ここでは、音質比較のため、第１層、第２層のＮ曲目を連続して再生するよう設定することとする。プログラムKeyにより設定されるまではシステムコントローラ９は入力待機状態である（ステップＳ９０）。
【００４０】
ステップＳ７０でプログラムKeyによる設定がされると（ステップＳ７０のＹ）、ステップＳ８０において、第１層と第２層のＮ曲目の曲頭から所定時間分のオーディオ信号が、オーディオ信号用メモリコントローラ１５によりオーディオ信号用メモリ１６に格納される。ここでいう曲頭からの所定時間は、ピックアップ２がＮ曲目のサーチを完了する時間程度が望ましい。具体的には数秒程度である。
【００４１】
ステップＳ８０後、操作部１３のPlayKeyが押下げられるまで、システムコントローラ９は入力待機状態である（ステップＳ９０）。
【００４２】
操作部１３のPlayKeyが押下げられると（ステップＳ１００のＹ）、ステップＳ１１０において、TOC情報用メモリ１１に格納された第１層のTOC情報をTOC情報用メモリコントローラ１０で取り出し、第１層のＮ曲目のサーチを行なう。
【００４３】
ステップＳ１１０で第１層のＮ曲目のサーチが完了すると、ステップＳ１２０において、第１層のＮ曲目の再生を行う。
【００４４】
ステップＳ１２０で第１層のＮ曲目の再生が完了すると、TOC情報用メモリ１１に格納された第２層のTOC情報をTOC情報用メモリコントローラ１０で取り出し、第２層のＮ曲目のサーチを行なう。
【００４５】
このサーチ中は（ステップＳ１４０のＹ）、オーディオ信号用メモリ１６に格納されている第２層のＮ曲目の曲頭から所定時間分のオーディオ信号を、オーディオ信号用メモリコントローラ１５で取り出し、再生する（ステップＳ１３０）。これにより、サーチ中の無音時間が無くなり、完全に時間的に連続した再生が行える。
【００４６】
第２層のＮ曲目のサーチが完了すると（ステップＳ１４０のＮ）、ステップＳ１５０において、オーディオ信号用メモリ１６に格納されている第２層のＮ曲目の曲頭から所定時間分のオーディオ信号の再生は止めて、マルチレイヤーディスク１から読み出しながら第２層のＮ曲目の再生を行う。
【００４７】
ステップＳ１５０で第２層のＮ曲目の再生が完了すると、終了となる。
【００４８】
上述した図４のフローの動作を元に以下のような動作も可能である。
【００４９】
ステップＳ１５０で第２層のＮ曲目の再生が完了した後、ステップＳ１１０に戻り、第１層のＮ曲目のサーチを行い、このサーチ中に、オーディオ信号用メモリ１６に格納されている第１層のＮ曲目の曲頭から所定時間分のオーディオ信号を再生する。そして、サーチが完了すれば、第１層のＮ曲目の曲頭から所定時間分のオーディオ信号の再生を止めて、ステップＳ１２０において、マルチレイヤーディスク１から読み出しながら第１層のＮ曲目の再生を行う。以降ステップＳ１５０までの動作を、例えば操作部１３の停止ボタンが押されるまで繰り返すようにすれば、順次各層のＮ曲目の再生音を、完全に時間的に連続した状態で繰り返しながら聴くことができる。
【００５０】
また、ステップＳ７０において、プログラムKeyで設定するときに、各層の音質比較をする曲を複数指定した場合は次のようにすればよい。例えば、プログラムKeyで、第１層のＮ曲目、第２層のＮ曲目、第１層のＭ曲目、第２層のＭ曲目の順番で再生するように設定したとする。この場合、ステップＳ８０において、各層のＮ曲目とＭ曲目の曲頭から所定時間分のオーディオ信号が、オーディオ信号用メモリコントローラ１５によりオーディオ信号用メモリ１６に格納される。その後、PlayKeyが押されると、ステップＳ１１０〜ステップＳ１５０までの動作を行う。ステップＳ１５０で第２層のＮ曲目の再生が完了した後、ステップＳ１１０に戻り、第１層のＭ曲目のサーチを行い、このサーチ中に、オーディオ信号用メモリ１６に格納されている第１層のＭ曲目の曲頭から所定時間分のオーディオ信号を再生する。そして、サーチが完了すれば、第１層のＭ曲目の曲頭から所定時間分のオーディオ信号の再生を止めて、ステップＳ１２０において、マルチレイヤーディスク１から読み出しながら第１層のＭ曲目の再生を行う。ステップ１３０〜ステップ１５０については、第２層のＭ曲目について行う。
【００５１】
さらに曲数が増えても、同様な動作を、プログラムKeyで設定された最後の曲の再生が終わるまで繰り返せばよい。このようにすれば、例えばジャンルの異なる曲毎に各層の音質比較を、完全に時間的に連続した状態で行うことができる。
【００５２】
また、上記でＭ曲目が第２層、第１層の順番で再生するように設定された場合は、ステップＳ１５０で第２層のＮ曲目の再生が完了した後、ステップＳ１１０に戻り、上記Ｍ曲目についてのステップＳ１１０〜ステップＳ１５０の動作を、第１層と第２層を入れ替えて行えばよい。
【００５３】
なお、以上の実施形態において、マルチレイヤーディスクの各層の曲は同一音源から記録されたものとしたが、これに限らなくてもよい。その場合は、音質比較をする曲として、各層で類似した曲（各層で曲番が異なってもよい）を選び、順次再生されるようプログラムKeyで設定してやれば、音質比較が行える。
【００５４】
また、以上の実施形態において、各層の各曲の再生は、各曲の全体を必ずしも再生する必要はなく、各曲の途中まで再生するようにしてもよい。例えば、操作部１３で再生時間等を指定できるようにすればよい。
【図面の簡単な説明】
【００５５】
【図１】は、本発明の第１の実施形態におけるマルチレイヤーディスク再生装置の概略構成を示す。
【図２】は、本発明の第１の実施形態におけるマルチレイヤーディスク再生装置の動作のフローを示す。
【図３】は、本発明の第２の実施形態におけるマルチレイヤーディスク再生装置の概略構成を示す。
【図４】は、本発明の第２の実施形態におけるマルチレイヤーディスク再生装置の動作のフローを示す。
【符号の説明】
【００５６】
１    マルチレイヤーディスク
２    ピックアップ
３    ＲＦアンプ回路
４    サーボ回路
５    サーチ回路
６    駆動回路
７    デコーダ
８    D/Aコンバータ
９    システムコントローラ
１０    TOC情報用メモリコントローラ
１１    TOC情報用メモリ
１２    表示部
１３    操作部
１４    オーディオアナログ信号
１５    オーディオ信号用メモリコントローラ
１６    オーディオ信号用メモリ
【図１】
2005339676.tif 000003
【図２】
2005339676.tif 000004
【図３】
2005339676.tif 000005
【図４】
2005339676.tif 000006